(57)【要約】【課題】エレクトロルミネッセンス（ＥＬ）素子を光源として利用し、必要な光量を確保でき、かつ、小型化・薄型化を達成できるシートスルー方式の画像読取り装置を得る。【解決手段】自動原稿搬送装置にて原稿Ｄを読取りガラス１２の直上で搬送しつつ読取り位置Ａで原稿画像を光学的に読み取る画像読取り装置。読取りガラス１２上には第１のＥＬ素子４０Ａがその発光部４１Ａをガラス面に向けて配置されている。また、原稿ガイド部材２７には第２のＥＬ素子４０Ｂがその発光部４１Ｂが読取り位置Ａに向けて配置されている。ＥＬ素子４０Ａ，４０Ｂから放射された光は、読取り位置Ａを搬送される原稿Ｄを照射し、反射光は光電変換素子４９に入射する。第１のＥＬ素子４０Ａは読取りガラス１２の下面又は側面に配置されてもよい。【選択図】図１
2009105730.tif 000002
【特許請求の範囲】
【請求項１】
原稿を１枚ずつ送り出し、読取り位置を通過させる原稿搬送手段と、
前記読取り位置を通過した原稿をすくい上げて排出側にガイドするガイド部材と、
前記読取り位置を搬送される原稿の画像を光学的に読み取る読取り手段と、
前記読取り位置を搬送される原稿と前記読取り手段との間に配置された透明な読取りガラスと、
前記読取り位置を通過する原稿を照射する光源として、前記読取りガラスに配置した第１のエレクトロルミネッセンス素子と、
前記読取り位置を通過する原稿を照射する光源として、前記ガイド部材に配置した第２のエレクトロルミネッセンス素子と、
を備えたことを特徴とする画像読取り装置。
【請求項２】
前記第２のエレクトロルミネッセンス素子の発光部の表面が前記ガイド部材の原稿ガイド面と同一平面に配置されていることを特徴とする請求項１に記載の画像読取り装置。
【請求項３】
前記第２のエレクトロルミネッセンス素子の発光部の表面が前記ガイド部材の原稿ガイド面よりも大きな角度に配置されていることを特徴とする請求項１に記載の画像読取り装置。
【請求項４】
前記第１のエレクトロルミネッセンス素子が、前記読取りガラスの原稿搬送側の第１面、該第１面と対向する第２面、及び、第１面と第２面以外の側面のいずれかに配置されていること、を特徴とする請求項１ないし請求項３のいずれかに記載の画像読取り装置。
【請求項５】
前記第１のエレクトロルミネッセンス素子のガラス基板が前記読取りガラスにて構成されていることを特徴とする請求項４に記載の画像読取り装置。
【請求項６】
前記読取りガラスの第１面、第２面、及び、側面のいずれかに遮光部材又は反射部材が配置されていることを特徴とする請求項４又は請求項５に記載の画像読取り装置。
【請求項７】
前記第１のエレクトロルミネッセンス素子、前記遮光部材、及び、前記反射部材のいずれかが、前記読取り位置を通過する原稿が前記読取りガラスの第１面に接触しないように段差を形成する部材として機能すること、を特徴とする請求項４ないし請求項６のいずれかに記載の画像読取り装置。
【発明の詳細な説明】
【技術分野】
【０００１】
本発明は、画像読取り装置、特に、複写機やスキャナなどにおいて画像入力装置として用いられるシートスルー方式の画像読取り装置に関する。
【背景技術】
【０００２】
従来より、原稿の画像を光学的に読み取る画像読取り装置としては、プラテンガラス上に載置した原稿の画像を読み取るプラテンセット方式と、原稿を１枚ずつ搬送し、搬送途中において原稿の画像を読み取るシートスルー方式が、それぞれ単独であるいは併用されていた。シートスルー方式は、小型化、低コスト、低騒音、画像読取りの高速化、ひいてはプリントの高生産性に利点を有し、モノクロ複写機やカラー複写機においては画像読取り装置の主流となっている。
【０００３】
また、画像読取り装置としては、文書の読み取りに特化した密着型の等倍光学系を用いたものと、ある程度の立体物の読み取りが可能な縮小光学系を用いたものに分類される。縮小光学系は原稿面から読取り素子までの光路長を長く取る必要があり、密着型の等倍光学系に比べて小型化が困難である。
【０００４】
ここで、縮小光学系を用いた従来の画像読取り装置の一例を図９に示す。この画像読取り装置１０は、プラテンガラス１１上に載置された原稿（図示せず）の画像を読み取るプラテンセット方式と、自動原稿搬送装置２０にて搬送される原稿Ｄを読み取るシートスルー方式とを備え、読取り光学系（スキャナ）５０が設置されている。
【０００５】
プラテンセット方式による画像の読取りは、例えば、希ガス蛍光灯などのランプ５３及び集光ミラー５９によりプラテンガラス１１上に載置された原稿を照射し、原稿面からの反射光をミラー５４，５５，５６を介して結像レンズ５７に入射し、さらに、撮像部（ＣＣＤカラーラインセンサ）５８に結像させて行う。ランプ５３とミラー５４，５９は第１スライダ５１に搭載され、ミラー５５，５６は第２スライダ５２に搭載され、それぞれ読取り走査方向Ｙに所定の速度で移動可能である。
【０００６】
一方、自動原稿搬送装置２０は複数のローラ対２１，２２，２３，２４を備えている。原稿Ｄはトレイ２５から１枚ずつピックアップされ、ローラ対２１，２２，２３から読取りガラス１２上に送り込まれ、読取り位置Ａの直下にセットされた読取り光学系５０にて画像が読み取られ、ローラ対２４からトレイ２６上に排出される。トレイ２６はプラテンガラス１１上にセットされた原稿の押さえ部材及び遮光部材としても機能する。
【０００７】
近年、蛍光灯やハロゲンランプに代えてエレクトロルミネッセンス素子（以下、ＥＬ素子とも記す）が薄くて省電力・低発熱な光源として注目されている。但し、ＥＬ素子は面発光で光量自体が小さいことが難点とされている。特許文献１には、スライダユニットにＥＬ素子を搭載することで読取り装置の小型化を図ることが記載されている。また、特許文献２には、プラテンガラスの下面にＥＬ素子とプリズムアレイを配置することで読取り装置の小型化・薄型化を図ることが記載されている。
【０００８】
しかしながら、特許文献１に記載のように、ＥＬ素子をスライダユニットに搭載する構成では、プラテンガラスとスライダユニットとの接触を避けるため、光源とプラテンガラスの裏面との距離（図９に符号Ｂで示す距離に相当する）を比較的大きく設定する必要があり、小型化の要請に反することとなる。従来のごとく、蛍光灯などのランプ５３を用いた場合には、ランプ５３の寸法が大きいために距離Ｂはより大きく設定する必要がある。また、ユーザがプラテンガラス１１を押圧したり、辞書などの重い原稿をプラテンガラス１１に載置した場合など、ガラス１１の中心部分が下方に撓むことを考慮して、距離Ｂはさらに大きく設定する必要がある。しかも、距離Ｂが大きくなると撮像部５８から一定の出力を得るために光源の輝度を大きくする必要がある。
【０００９】
即ち、従来のごとくランプ５３を使用している場合や、特許文献１に記載のようにＥＬ素子をスライダユニットに搭載する構成では、光源をある程度プラテンガラスから離す必要があるので光の拡散を考慮して高輝度の光源が必要とされる。また、光源をスライダユニットに搭載すると、光源自体の大きさや反射板をも設置することから、スライダユニットの小型化・薄型化が困難で、スライダユニットの駆動系も大型化し、読取り装置自体の大型化にも繋がる。これらのことは、画像読取りの高速化への障害ともなっている。また、特許文献２に記載のように、単一のＥＬ素子では原稿照射光量が不足し、かつ、ＥＬ素子にプリズムアレイを重ねると、薄型であるというＥＬ素子の利点を損なうことになる。
【００１０】
【特許文献１】特開２０００−１１５４７０号公報
【特許文献２】特開平６−２１７０８３号公報
【発明の開示】
【発明が解決しようとする課題】
【００１１】
そこで、本発明の目的は、薄くて省電力・低発熱なエレクトロルミネッセンス素子を光源として利用し、必要な光量を確保でき、かつ、小型化・薄型化を達成できるシートスルー方式の画像読取り装置を提供することにある。さらに、他の目的は、エレクトロルミネッセンス素子の放射光を効率よく利用できる画像読取り装置を提供することにある。さらに、他の目的は、簡単な構成で読取りガラスに非接触状態で原稿を搬送して原稿から読取りガラスに異物が付着することを防止できる画像読取り装置を提供することにある。
【課題を解決するための手段】
【００１２】
前記目的を達成するため、本発明に係る画像読取り装置は、
原稿を１枚ずつ送り出し、読取り位置を通過させる原稿搬送手段と、
前記読取り位置を通過した原稿をすくい上げて排出側にガイドするガイド部材と、
前記読取り位置を搬送される原稿の画像を光学的に読み取る読取り手段と、
前記読取り位置を搬送される原稿と前記読取り手段との間に配置された透明な読取りガラスと、
前記読取り位置を通過する原稿を照射する光源として、前記読取りガラスに配置した第１のエレクトロルミネッセンス素子と、
前記読取り位置を通過する原稿を照射する光源として、前記ガイド部材に配置した第２のエレクトロルミネッセンス素子と、
を備えたことを特徴とする。
【００１３】
本発明に係る画像読取り装置においては、第１のＥＬ素子を読取りガラスに配置するとともに、第２のＥＬ素子をガイド部材に配置するようにしたため、近距離から第１及び第２のＥＬ素子からの放射光を読取り位置に照射することができ、必要な光量を得ることができ、かつ、薄くて省電力・低発熱なＥＬ素子を光源として効果的に利用し、画像読取り装置の小型化・薄型化を達成することができる。
【００１４】
第２のＥＬ素子の発光部は、その表面がガイド部材の原稿ガイド面と同一平面に配置されていてもよく、あるいはその表面がガイド部材の原稿ガイド面よりも大きな角度に配置されていてもよい。第２のＥＬ素子をガイド部材内に収容すればスペース効率がよく、第２のＥＬ素子の発光部を読取り位置に向けることで照射強度が増加する。
【００１５】
第１のＥＬ素子に関しては、読取りガラスの原稿搬送側の第１面、該第１面と対向する第２面、及び、第１面と第２面以外の側面のいずれかに配置されていればよい。特に、ＥＬ素子のガラス基板を読取りガラスにて構成すれば、ガラス基板を省略して光源部をより薄型にすることができる。
【００１６】
また、読取りガラスの第１面、第２面、及び、側面のいずれかに遮光部材又は反射部材を配置することにより、ＥＬ素子の光をより効率的に利用することができる。ＥＬ素子自体を、あるいは、遮光部材又は反射部材を読取り位置を通過する原稿が読取りガラスの第１面に接触しないように段差を形成する部材として機能させれば、専用の段差形成部材を省略でき、部品点数の減少を図ることができる。
【発明を実施するための最良の形態】
【００１７】
以下、本発明に係る画像読取り装置の実施例について添付図面を参照して説明する。なお、各実施例において、同一部品及び同一部分には同じ符号を付し、重複した説明は省略する。
【００１８】
また、各実施例を示す図面は画像読取り装置の要部のみを示し、図示しない他の構成は図９に示した従来の画像読取り装置１０と同じである。但し、光学系は縮小型ではなく密着型の等倍光学系とされており、密着型の光電変換素子（ラインセンサ）４９を用いている。
【００１９】
（第１実施例、図１〜図３参照）
図１に画像読取り装置の第１実施例を示す。この画像読取り装置において、読取りガラス１２の原稿搬送側の第１面１２ａ上には、読取り位置Ａよりも原稿搬送方向Ｅの上流側に第１のＥＬ素子４０Ａが発光部４１Ａを下向きにして固定されている。また、第１面１２ａと対向する第２面１２ｂには遮光部材又は反射部材４５が配置され、上流側の側面にも遮光部材又は反射部材４６が配置されている。
【００２０】
さらに、本第１実施例では、読取り位置Ａを搬送された後の原稿Ｄをすくい上げるためのガイド部材２７、読取り位置Ａで原稿Ｄをガイドするためのガイド板２８が配置されている。ガイド部材２７には、第２のＥＬ素子４０Ｂがその発光部４１Ｂを原稿ガイド面２７ａと同一平面に配置されている。
【００２１】
第１のＥＬ素子４０Ａの発光部４１Ａの光は読取りガラス１２の第１面１２ａから内部に放射され、ガラス１２の内部を透過し、遮光部材又は反射部材４５，４６にて外部にほとんど漏れることなく読取り位置Ａに導かれる。また、第２のＥＬ素子４０Ｂの発光部４１Ｂから放射される光は直接的に読取り位置Ａを照射する。読取り位置Ａを搬送される原稿Ｄにて反射された光は読取りガラス１２の直下に設置された光電変換素子４９へと図示しない等倍レンズアレイを介して導かれ、画像情報として取り込まれる。
【００２２】
ここで、ＥＬ素子の一般的な構成について模式的に示した図２を参照して説明する。ＥＬ素子は、発光層４０ａ、ガラス基板４０ｂ、発光層４０ａに電流を流すための透明電極４０ｃ、正孔輸送層４０ｄ、電子輸送層４０ｅ、電極４０ｆにて構成され、全体的な厚さは２００μｍ程度まで薄型化できる。光は矢印Ｌで示すように、発光層４０ａから透明電極４０ｃなどの透明素材を通じて放射される。
【００２３】
発光層４０ａの材料として無機化合物を用いたものは無機ＥＬ、有機化合物を用いたものは有機ＥＬと称されている。無機ＥＬは発光層４０ａに電界を印加することにより発光し、有機ＥＬは発光層４０ａ内で電子輸送層４０ｅの電子と正孔輸送層４０ｄの陽子とが再結合することにより発光する。このようなＥＬ素子は極めて薄くて小型であり、画像読取り装置においては非常にコンパクトな光源として配置することができる。
【００２４】
画像読取り装置の光源として、カラー画像に対しては白色光源、モノクロ画像に対しては視感度特性の中心に近い緑色光源が選択されることが多い。有機ＥＬで白色を得るには、赤色（Ｒ）、緑色（Ｇ）、青色（Ｂ）の有機ＥＬ材料を混ぜ合わせて発光層４０ａを構成する。他の方法として、ＲＧＢ３層の有機ＥＬ発光層を重ね合わせて同時発光させてもよい。
【００２５】
図３は前記第１のＥＬ素子４０Ａを読取りガラス１２上に配置した状態を模式的に示している。図２に示したガラス基板４０ｂに代えて読取りガラス１２を用いて一体化している。ガラス基板４０ｂを省略できるので、より安価で厚みを薄く構成できる。但し、ガラス基板４０ｂを設けて読取りガラス１２上に透明接着剤にて貼着してもよい。
【００２６】
本第１実施例においては、ＥＬ素子４０Ａ，４０Ｂをスライダ５１（図９参照）ではなく、読取り位置Ａの近傍に配置したため、ＥＬ素子４０Ａ，４０Ｂから読取り位置Ａまでの距離を格段に短くでき、ＥＬ素子４０Ａ，４０Ｂから放射される光を無駄なく原稿面に照射することができる。しかも、輝度の小さいＥＬ素子４０Ａ，４０Ｂであってもランプなどとほぼ同等の原稿面照度を確保することが可能となる。輝度が小さいと発熱、消費電力が抑えられ、環境に配慮してＥＬ素子４０Ａ，４０Ｂ自体の特性を有効に活用することができる。また、ＥＬ素子４０Ａ，４０Ｂ自体も小型・薄型であり、画像読取り装置も小型化される。あるいは、ＥＬ素子４０Ａ，４０Ｂの微熱によって急激な環境変化で読取りガラス１２に発生する結露の防止や除去効果も期待できる。
【００２７】
さらに、画像読取りの単位時間当たりの原稿面照度を大きくできるため、読み取った画像ノイズが低減される。読取り速度を速くすることも可能であり、読取り時間の短縮（複写機であればプリント生産性の向上）に繋がる。
【００２８】
また、本第１実施例では、第１のＥＬ素子４０Ａを読取り位置Ａを通過する原稿Ｄが読取りガラス１２の第１面１２ａに接触しないように段差Ｃを形成する部材としても機能している。即ち、シートスルー方式による原稿画像の読取り装置にあっては、図９に示すように、原稿Ｄが読取りガラス１２の表面に接触しつつ搬送されるため、原稿Ｄに付着している糊やインキ滓などが読取りガラス１２の読取り位置Ａに付着し、読み取った画像に筋状のノイズが発生する不具合を有している。
【００２９】
このような不具合を解消するため、従来でも読取りガラス１２の読取り位置Ａよりも搬送方向Ｅの上流側に樹脂シートを設けて段差Ｃを形成し、該樹脂シートで原稿Ｄをガイドすることにより原稿Ｄを読取りガラス１２の表面に接触しないように搬送していた。この樹脂シートに代えて、第１のＥＬ素子４０Ａの表面で原稿Ｄをガイドすることにより、原稿Ｄを読取りガラス１２とは非接触で搬送し、読取り位置Ａの汚れ（読取りノイズの発生）を未然に防止することができる。
【００３０】
また、原稿Ｄの後端部は、段差形成部材（ＥＬ素子４０Ａ）の先端部を通過すると、支えを失って読取りガラス１２上に落下する。このとき、原稿Ｄの後端部が読取りガラス１２の読取り位置Ａを払拭し、紙粉や塵埃などの異物を除去する。
【００３１】
ＥＬ素子は２００μｍ程度の厚さから製造が可能である。通常、段差Ｃは０．３〜０．７ｍｍであり、ＥＬ素子４０Ａの表面に低摩擦係数のシートを貼着することで段差形成部材として機能させることが可能である。低摩擦係数のシートとしてポリエステルやポリエチレンを用いれば安価でもある。また、この種のシートの厚さを調整することで任意の段差Ｃを実現できる。
【００３２】
ところで、反射部材４５，４６としては、ポリエステルフィルムにアルミ箔を貼り合わせた複合材やアルミ板などの光輝材を用いることができる。特にポリエステルフィルムにアルミ箔を貼り合わせた複合材は厚みが１００μｍ程度と薄く、読取りガラス１２の周囲に貼着してもスペースをとらず、小型化を損なうことはない。
【００３３】
（第２実施例、図４及び図５参照）
図４及び図５に画像読取り装置の第２実施例を示す。この画像読取り装置は、基本的には前記第１実施例と同様の構成を備えている。異なるのは、第２のＥＬ素子４０Ｂを発光部４１Ｂの表面がガイド部材２７の原稿ガイド面２７ａよりも大きな角度に配置し、原稿ガイド面２７ａに透明なガラス平板２９を設けた点にある。即ち、図５に示すように、ガイド面２７ａの設置角度θ１に対して、第２のＥＬ素子４０Ｂはその発光部４１Ｂの設置角度θ２が大きい状態で配置されている。
【００３４】
本第２実施例の作用効果は第１実施例と同様であり、さらに、第２のＥＬ素子４０Ｂの設置角度θ２を大きく設定することにより、発光部４１Ｂからの放射光が読取り位置Ａをより直接的に照射することができる。
【００３５】
（第３実施例、図６参照）
図６に画像読取り装置の第３実施例を示す。この画像読取り装置において、読取りガラス１２の原稿搬送側の第１面１２ａと対向する第２面１２ｂであって、読取り位置Ａよりも原稿搬送方向Ｅの上流側に、第１のＥＬ素子４０Ａをその発光部４１Ａを上向きにして固定されている。また、第２面１２ｂの一部と上流側の側面と第１面１２ａには遮光部材又は反射部材４５，４６，４７が配置されている。
【００３６】
ガイド部材２７には第２のＥＬ素子４０Ｂが配置され、その構成は前記第１実施例と同様である。なお、第２のＥＬ素子４０Ｂは、前記第２実施例と同様に、設置角度θ２がガイド面２７ａの設置角度θ１よりも大きく設定されていてもよい。
【００３７】
第１のＥＬ素子４０Ａの発光部４１Ａの光は読取りガラス１２の第２面１２ｂから内部に放射され、ガラス１２の内部を透過し、遮光部材又は反射部材４５，４６，４７にて外部にほとんど漏れることなく読取り位置Ａに導かれる。また、第２のＥＬ素子４０Ｂの発光部４１Ｂから放射される光は直接的に読取り位置Ａを照射する。
【００３８】
ＥＬ素子４０Ａ，４０Ｂの構成は、図２及び図３を参照して説明したとおりであり、第１のＥＬ素子４０Ａはガラス基板４０ｂに代えて読取りガラス１２と一体的に構成されている。なお、ガラス基板４０ｂを設けて読取りガラス１２の第２面に透明接着剤にて貼着してもよい。
【００３９】
本第３実施例の作用効果は前記第１実施例と同様である。そして、遮光部材又は反射部材４７は読取りガラス１２の第１面１２ａ上であって、読取り位置Ａよりも搬送方向Ｅの上流側に配置され、原稿Ｄを読取りガラス１２に対して非接触で搬送するための段差Ｃを形成する部材として機能している。
【００４０】
（第４実施例、図７参照）
図７に画像読取り装置の第４実施例を示す。この画像読取り装置においては、二つの第１のＥＬ素子４０Ａを読取りガラス１２の原稿搬送側の第１面１２ａと対向する第２面１２ｂであって読取り位置Ａよりも原稿搬送方向Ｅの上流側及び下流側に、所定の角度で傾斜して固定されている。所定の角度とは発光部４１Ａが読取り位置Ａに対向する角度である。また、第１のＥＬ素子４０Ａと読取りガラス１２の第２面１２ｂとの間にはガラス材１２ｃが配置されている。第１のＥＬ素子４０Ａは図２に示すガラス基板４０ｂを有していてもよく、あるいは、ガラス材１２ｃがガラス基板４０ｂに代えて用いられてもよい。さらに、第２面１２ｂと上流側及び下流側の側面と第１面１２ａには遮光部材又は反射部材４５，４６，４７が配置されている。
【００４１】
ガイド部材２７には第２のＥＬ素子４０Ｂが配置され、その構成は前記第１実施例と同様である。なお、第２のＥＬ素子４０Ｂは、前記第２実施例と同様に、設置角度θ２がガイド面２７ａの設置角度θ１よりも大きく設定されていてもよい。
【００４２】
第１のＥＬ素子４０Ａの発光部４１Ａの光はガラス材１２ｃを介して読取りガラス１２の第２面１２ｂから内部に放射され、ガラス１２の内部を透過し、遮光部材又は反射部材４５，４６，４７にて外部にほとんど漏れることなく読取り位置Ａに導かれる。また、第２のＥＬ素子４０Ｂの発光部４１Ｂから放射される光は直接的に読取り位置Ａを照射する。
【００４３】
ＥＬ素子４０Ａ，４０Ｂの構成は図２及び図３を参照して説明したとおりである。遮光部材又は反射部材４５，４６，４７の構成、作用も第１実施例で説明したとおりである。それゆえ、本第４実施例の作用効果は基本的には前記第１実施例と同様である。また、遮光部材又は反射部材４７は読取りガラス１２の第１面１２ａ上であって、読取り位置Ａよりも搬送方向Ｅの上流側に配置され、原稿Ｄを読取りガラス１２に対して非接触で搬送するための段差Ｃを形成する部材として機能している。
【００４４】
（第５実施例、図８参照）
図８に画像読取り装置の第５実施例を示す。この画像読取り装置においては、読取りガラス１２の原稿搬送方向Ｅの上流側の側面にＥＬ素子４０Ａがその発光部４１Ａを読取りガラス１２に向けて固定されている。また、第２面１２ｂと下流側の側面と第１面１２ａには遮光部材又は反射部材４５，４６，４７が配置されている。
【００４５】
ガイド部材２７には第２のＥＬ素子４０Ｂが配置され、その構成は前記第１実施例と同様である。なお、第２のＥＬ素子４０Ｂは、前記第２実施例と同様に、設置角度θ２がガイド面２７ａの設置角度θ１よりも大きく設定されていてもよい。
【００４６】
第１のＥＬ素子４０Ａの発光部４１Ａの光は読取りガラス１２の側面から内部に放射され、読取りガラス１２の内部を透過し、遮光部材又は反射部材４５，４６，４７にて外部にほとんど漏れることなく読取り位置Ａに導かれる。また、第２のＥＬ素子４０Ｂの発光部４１Ｂから放射される光は直接的に読取り位置Ａを照射する。
【００４７】
ＥＬ素子４０Ａ，４０Ｂの構成は、図２及び図３を参照して説明したとおりであり、第１のＥＬ素子４０Ａはガラス基板４０ｂに代えて読取りガラス１２と一体的に構成されていてもよい。本第５実施例の作用効果は前記第１実施例と同様である。第５実施例においても、遮光部材又は反射部材４７は読取りガラス１２の第１面１２ａ上であって、読取り位置Ａよりも搬送方向Ｅの上流側に配置され、原稿Ｄを読取りガラス１２に対して非接触で搬送するための段差Ｃを形成する部材として機能している。
【００４８】
（他の実施例）
なお、本発明に係る画像読取り装置は、前記実施例に限定されるものではなく、その要旨の範囲内で種々に変更できる。
【００４９】
特に、画像を読み取るための光学系の構成は任意であり、前記実施例においては密着型の等倍光学系による画像読取り装置を示したが、それ以外に縮小光学系による画像読取り装置であってもよい。
【００５０】
搬送される原稿を読取りガラスに対して非接触状態で搬送するために、段差を形成する部材としては、ＥＬ素子や遮光部材、反射部材以外に専用の部材を設けてもよい。非接触搬送を実現するためには、あるいは、読取りガラス１２の原稿搬送方向Ｅの上流側及び下流側に設置されている原稿ガイドとで、搬送されている原稿Ｄを湾曲させ、原稿Ｄをこの湾曲姿勢を保持させつつ搬送する構成にしてもよい。
【図面の簡単な説明】
【００５１】
【図１】第１実施例の要部を示す断面図である。
【図２】ＥＬ素子の一般的な構成を示す模式的な断面図である。
【図３】読取りガラスと一体的に構成されてＥＬ素子を示す模式的な断面図である。
【図４】第２実施例の要部を示す断面図である。
【図５】第２実施例における第２のＥＬ素子の配置を示す断面図である。
【図６】第３実施例の要部を示す断面図である。
【図７】第４実施例の要部を示す断面図である。
【図８】第５実施例の要部を示す断面図である。
【図９】縮小光学系を搭載した従来の画像読取り装置を示す概略構成図である。
【符号の説明】
【００５２】
１２…読取りガラス
１２ａ…第１面
１２ｂ…第２面
４０Ａ，４０Ｂ…エレクトロルミネッセンス素子
４１Ａ，４１Ｂ…発光部
４５，４６，４７…遮光部材又は反射部材
４９…光電変換素子
Ａ…読取り位置
Ｄ…原稿
Ｅ…原稿搬送方向
【図１】
2009105730.tif 000003
【図２】
2009105730.tif 000004
【図３】
2009105730.tif 000005
【図４】
2009105730.tif 000006
【図５】
2009105730.tif 000007
【図６】
2009105730.tif 000008
【図７】
2009105730.tif 000009
【図８】
2009105730.tif 000010
【図９】
2009105730.tif 000011